(57)【要約】【課題】手軽に導入可能なＰＯＳシステムおよびその会計処理方法を提供することを目的とする。【解決手段】ＰＯＳアプリケーションプログラムをダウンロードし、当該ＰＯＳアプリケーションプログラムに基づいて会計処理を行うと共に、通常の携帯電話として利用可能な携帯電話ＰＯＳ端末２０と、携帯電話ＰＯＳ端末に対し、無線通信によってＰＯＳアプリケーションプログラムを提供すると共に、その対価を得るシステムサーバ３０とにより構成されるものである。【選択図】  図１
2004164195.tif 000002
【特許請求の範囲】
【請求項１】
ＰＯＳアプリケーションプログラムをダウンロードし、当該ＰＯＳアプリケーションプログラムに基づいて会計処理を行うと共に、通常の携帯電話として利用可能な携帯電話ＰＯＳ端末と、
前記携帯電話ＰＯＳ端末に対し、無線通信によって前記ＰＯＳアプリケーションプログラムを提供すると共に、その対価を得るシステムサーバと、により構成されることを特徴とするＰＯＳシステム。
【請求項２】
前記携帯電話ＰＯＳ端末は、
前記ＰＯＳアプリケーションプログラムを取得するＰＯＳアプリケーションプログラム取得手段と、
前記携帯電話の操作キー入力により前記入金情報を入力する入金情報入力手段と、
前記入金情報に基づき、前記ＰＯＳアプリケーションプログラムを実行することにより会計処理を行う会計処理手段と、
前記会計処理による会計結果を記憶する会計結果記憶手段と、
前記入金情報および前記会計結果を表示する表示手段と、
前記会計結果を含む出力情報を出力する出力手段と、
を備えたことを特徴とする請求項１に記載のＰＯＳシステム。
【請求項３】
前記システムサーバおよび前記携帯電話ＰＯＳ端末から情報提供サービスを受けるための顧客アプリケーションプログラムを、無線通信によって携帯電話にダウンロードした携帯電話顧客端末を更に備え、
前記携帯電話顧客端末は、前記情報提供サービスとして、前記携帯電話顧客端末のユーザの支払によって生じる、前記携帯電話ＰＯＳ端末への入金情報に基づく前記出力情報を取得する支払情報取得手段を有することを特徴とする請求項２に記載のＰＯＳシステム。
【請求項４】
前記支払情報取得手段は、前記出力手段によりトランザクション終了毎に出力される前記出力情報を取得し、
当該出力情報は、前記入金情報を含むことを特徴とする請求項３に記載のＰＯＳシステム。
【請求項５】
前記携帯電話ＰＯＳ端末および前記携帯電話顧客端末は、赤外線により、互いに情報の授受を行う赤外線通信手段を更に備え、
前記出力手段は、前記赤外線通信手段を介して前記出力情報を出力することを特徴とする請求項３または４に記載のＰＯＳシステム。
【請求項６】
前記情報提供サービスには、前記携帯電話顧客端末の前記赤外線通信手段によって、前記携帯電話ＰＯＳ端末に対し、代金の支払いに関する情報を送信することによって決済処理を行う赤外線決済手段が含まれることを特徴とする請求項５に記載のＰＯＳシステム。
【請求項７】
前記情報提供サービスには、
前記携帯電話ＰＯＳ端末により前記会計結果に応じて付与されたサービスポイントに関するポイント情報を取得するポイント情報取得手段と、
前記ポイント情報に基づき、前記サービスポイントを積算するポイント積算手段と、が含まれることを特徴とする請求項２ないし６のいずれか１に記載のＰＯＳシステム。
【請求項８】
前記携帯電話ＰＯＳ端末は、無線通信によって前記出力情報を前記システムサーバに送信する出力情報送信手段を更に備え、
前記システムサーバは、前記出力情報を記憶するデータベースを備えたことを特徴とする請求項２ないし７のいずれか１に記載のＰＯＳシステム。
【請求項９】
前記出力情報送信手段は、トランザクション終了毎に前記出力情報を送信することを特徴とする請求項８に記載のＰＯＳシステム。
【請求項１０】
前記携帯電話ＰＯＳ端末は、商品の在庫数に関する在庫情報を入力する在庫情報入力手段と、当該在庫情報を前記システムサーバに送信する在庫情報送信手段と、を更に備え、
前記データベースは、前記在庫情報を記憶することを特徴とする請求項８または９に記載のＰＯＳシステム。
【請求項１１】
前記携帯電話ＰＯＳ端末は、前記データベースから、無線通信を介して、ユーザの指定した前記出力情報および／または前記在庫情報を取得するデータベース情報取得手段を更に備えたことを特徴とする請求項１０に記載のＰＯＳシステム。
【請求項１２】
前記システムサーバとネットワークを介して接続されており、少なくとも１以上の前記携帯電話ＰＯＳ端末を統括制御する店舗サーバを更に備え、
前記店舗サーバは、統括制御対象となる前記携帯電話ＰＯＳ端末から出力された前記出力情報および前記在庫情報を、統括情報として前記データベースから取得する統括情報出力手段を有することを特徴とする請求項８ないし１１のいずれか１に記載のＰＯＳシステム。
【請求項１３】
前記システムサーバは、前記データベースの中に記憶された前記出力情報および前記在庫情報に基づいて、売上成績や取引結果を示す財務会計データを作成する財務会計データ作成手段を更に備え、
前記店舗サーバは、前記統括情報に基づいて作成された前記財務会計データを取得する財務会計データ取得手段を更に備えたことを特徴とする請求項１２に記載のＰＯＳシステム。
【請求項１４】
前記システムサーバは、前記データベースに記憶した前記出力情報および前記在庫情報に基づいて、売上推移や販売動向を分析した売上分析データを作成する売上分析データ作成手段を更に備え、
前記店舗サーバは、前記統括情報に基づいて作成された前記売上分析データを取得する売上分析データ取得手段を更に備えたことを特徴とする請求項１２または１３に記載のＰＯＳシステム。
【請求項１５】
前記システムサーバは、前記店舗サーバを保有する店舗別に前記ＰＯＳアプリケーションプログラムを生成すると共に、前記データベースには、当該ＰＯＳアプリケーションプログラムを複数記憶しており、
前記店舗サーバは、前記データベースから前記店舗用のＰＯＳアプリケーションプログラムを読み出し、当該ＰＯＳアプリケーションプログラムの書き換え・更新を行うＰＯＳアプリケーションプログラム更新手段を更に備えたことを特徴とする請求項１２、１３または１４に記載のＰＯＳシステム。
【請求項１６】
前記システムサーバは、ネットワークを介して、前記店舗サーバから前記ＰＯＳアプリケーションプログラムの開発依頼を受け付けるアプリケーション開発受付手段と、
前記開発依頼に対し、前記ＰＯＳアプリケーションプログラムの作成ユーティリティを提供する作成ユーティリティ提供手段と、を備え、
前記作成ユーティリティには、商品に関する商品情報から成る商品マスタ、前記商品情報とその金額に関する金額情報とを関連づけた金額テーブル、入金対象となる商品の取扱い担当者に関する担当者情報から成る担当者マスタ、顧客に関する顧客情報から成る顧客マスタのうち、いずれかを作成するための情報を入力する設定画面の実行プログラムが含まれることを特徴とする請求項１２ないし１５のいずれか１に記載のＰＯＳシステム。
【請求項１７】
携帯電話の操作キー入力により入金情報を取得し、これに基づいて当該携帯電話により会計処理を行う携帯電話ＰＯＳ端末と、
当該携帯電話ＰＯＳ端末に対し、前記会計処理を行うためのＰＯＳアプリケーションプログラムを提供すると共に、その対価を得るシステムサーバと、により構成されるＰＯＳシステムの会計処理方法であって、
前記システムサーバから前記携帯電話ＰＯＳ端末に前記ＰＯＳアプリケーションプログラムを提供するＰＯＳアプリケーションプログラム提供工程と、
前記携帯電話ＰＯＳ端末に、前記入金情報を入力する入金情報入力工程と、
前記携帯電話ＰＯＳ端末において、前記入金情報に基づき、前記ＰＯＳアプリケーションプログラムを実行することにより会計処理を行う会計処理工程と、
前記携帯電話ＰＯＳ端末に、前記会計処理による会計結果を記憶する会計結果記憶工程と、
前記携帯電話ＰＯＳ端末から、前記会計結果を含む出力情報を出力する出力工程と、
を備えたことを特徴とするＰＯＳシステムの会計処理方法。
【請求項１８】
前記ＰＯＳシステムは、前記システムサーバおよび前記携帯電話ＰＯＳ端末から情報提供サービスを受けるための顧客アプリケーションプログラムを、無線通信によって携帯電話にダウンロードした携帯電話顧客端末を更に備え、
前記携帯電話顧客端末は、前記情報提供サービスとして、前記携帯電話顧客端末のユーザの支払によって生じる、前記携帯電話ＰＯＳ端末への入金情報に基づく前記出力情報を取得することを特徴とする請求項１７に記載のＰＯＳシステムの会計処理方法。
【請求項１９】
前記携帯電話ＰＯＳ端末は、前記出力工程において、トランザクション終了毎に前記出力情報を出力し、
当該出力情報は、前記入金情報を含むことを特徴とする請求項１８に記載のＰＯＳシステムの会計処理方法。
【請求項２０】
前記携帯電話ＰＯＳ端末は、前記出力工程において、赤外線により前記出力情報を出力し、前記携帯電話顧客端末は、これを受信することを特徴とする請求項１８または１９に記載のＰＯＳシステムの会計処理方法。
【請求項２１】
前記情報提供サービスには、前記携帯電話顧客端末から前記携帯電話ＰＯＳ端末に対し、前記赤外線により代金の支払いに関する情報を送信することができるサービスが含まれることを特徴とする請求項２０に記載のＰＯＳシステムの会計処理方法。
【請求項２２】
前記情報提供サービスには、前記携帯電話ＰＯＳ端末により前記会計結果に応じて付与されたサービスポイントに関するポイント情報を取得し、当該ポイント情報に基づいて、前記サービスポイントを積算するサービスが含まれることを特徴とする請求項１７ないし２１のいずれか１に記載のＰＯＳシステムの会計処理方法。
【請求項２３】
前記携帯電話ＰＯＳ端末から前記システムサーバに、無線通信を介して前記出力情報を送信する出力情報送信工程を更に備え、
前記システムサーバは、前記出力情報をデータベースに記憶することを特徴とする請求項１７ないし２２のいずれか１に記載のＰＯＳシステムの会計処理方法。
【請求項２４】
前記出力情報送信工程は、トランザクション終了毎に前記出力情報を送信することを特徴とする請求項２３に記載のＰＯＳシステムの会計処理方法。
【請求項２５】
前記携帯電話ＰＯＳ端末は、商品の在庫数に関する在庫情報を入力すると共に、当該在庫情報を前記システムサーバに送信し、
前記データベースは、前記在庫情報を記憶することを特徴とする請求項２３または２４に記載のＰＯＳシステムの会計処理方法。
【請求項２６】
前記携帯電話ＰＯＳ端末は、前記データベースから、無線通信を介して、ユーザの指定した前記出力情報および／または前記在庫情報を取得することを特徴とする請求項２５に記載のＰＯＳシステムの会計処理方法。
【請求項２７】
前記ＰＯＳシステムは、前記システムサーバとネットワークを介して接続され、且つ少なくとも１以上の前記携帯電話ＰＯＳ端末を統括制御する店舗サーバを更に備えており、
前記店舗サーバは、統括制御対象となる前記携帯電話ＰＯＳ端末から出力された前記出力情報および前記在庫情報を、統括情報として前記データベースから取得することを特徴とする請求項２３ないし２６のいずれか１に記載のＰＯＳシステムの会計処理方法。
【請求項２８】
前記システムサーバは、前記データベースの中に記憶された前記出力情報および前記在庫情報に基づいて、売上成績や取引結果を示す財務会計データを作成し、
前記店舗サーバは、前記統括情報に基づいて作成された前記財務会計データを取得することを特徴とする請求項２７に記載のＰＯＳシステムの会計処理方法。
【請求項２９】
前記システムサーバは、前記データベースに記憶した前記出力情報および前記在庫情報に基づいて、売上推移や販売動向を分析した売上分析データを作成し、
前記店舗サーバは、前記統括情報に基づいて作成された前記売上分析データを取得することを特徴とする請求項２７または２８に記載のＰＯＳシステムの会計処理方法。
【請求項３０】
前記システムサーバは、前記店舗サーバを保有する店舗別に前記ＰＯＳアプリケーションプログラムを生成すると共に、前記データベースには、当該ＰＯＳアプリケーションプログラムを複数記憶しており、
前記店舗サーバは、前記データベースから前記店舗用のＰＯＳアプリケーションプログラムを読み出し、当該ＰＯＳアプリケーションプログラムの書き換え・更新を行うことを特徴とする請求項２７、２８または２９に記載のＰＯＳシステムの会計処理方法。
【請求項３１】
前記システムサーバは、ネットワークを介して、前記店舗サーバから前記ＰＯＳアプリケーションプログラムの開発依頼を受け付けると共に、当該開発依頼に対し、前記ＰＯＳアプリケーションプログラムの作成ユーティリティを前記店舗サーバに提供し、
前記作成ユーティリティには、商品に関する商品情報から成る商品マスタ、前記商品情報とその金額に関する金額情報とを関連づけた金額テーブル、入金対象となる商品の取扱い担当者に関する担当者情報から成る担当者マスタ、顧客に関する顧客情報から成る顧客マスタのうち、いずれかを作成するための情報を入力する設定画面の実行プログラムが含まれることを特徴とする請求項３０に記載のＰＯＳシステムの会計処理方法。
【発明の詳細な説明】
【０００１】
【発明の属する技術分野】
本発明は、携帯電話を用いたＰＯＳシステムおよびその会計処理方法に関するものである。
【０００２】
【従来の技術】
従来、無線通信手段を有する携帯可能な小型のＰＯＳ端末（以下、「携帯ＰＯＳ端末」という）を用いて、店舗外でも支払清算処理を行い得るＰＯＳシステム（販売時点情報管理システム）が知られている（例えば、特許文献１参照。）。この種のＰＯＳシステムは、注文受付や配達管理を行う店舗ＰＯＳ端末（店舗内に配置される据え置き型のＰＯＳ端末）と、店舗ＰＯＳ端末による注文受付内容に基づいて配達を行う配達担当者が携行すると共に、入金情報や支払情報を入力する携帯ＰＯＳ端末と、当該携帯ＰＯＳ端末からの入金情報や支払情報を取得して売上管理や会計処理を行う会計サーバと、携帯ＰＯＳ端末から無線通信により入金情報や支払情報を取得すると共に、ネットワークを介して店舗ＰＯＳ端末および会計サーバと接続されるＷｅｂサーバとにより構成されている。したがって、店舗としては、当該ＰＯＳシステムを構築するために、店舗ＰＯＳ端末、携帯ＰＯＳ端末、会計サーバおよびＷｅｂサーバを導入する必要がある。つまり、従来の携帯ＰＯＳ端末を用いたＰＯＳシステムは、店外に持ち出し可能な携帯ＰＯＳ端末が用いられるため、注文配達や移動販売の際には利便性を発揮するものの、設備投資が多額になるといった問題があった。
【０００３】
【特許文献１】
特開２００２−１３３５１６号公報（第６−９頁、第１−３図）
【０００４】
【発明が解決しようとする課題】
本発明は、上記の問題点に鑑み、手軽に導入可能なＰＯＳシステムおよびその会計処理方法を提供することを目的とする。
【０００５】
【課題を解決するための手段】
本発明のＰＯＳシステムは、ＰＯＳアプリケーションプログラムをダウンロードし、当該ＰＯＳアプリケーションプログラムに基づいて会計処理を行うと共に、通常の携帯電話として利用可能な携帯電話ＰＯＳ端末と、携帯電話ＰＯＳ端末に対し、無線通信によってＰＯＳアプリケーションプログラムを提供すると共に、その対価を得るシステムサーバと、により構成されることを特徴とする。
【０００６】
この場合、携帯電話ＰＯＳ端末は、ＰＯＳアプリケーションプログラムを取得するＰＯＳアプリケーションプログラム取得手段と、携帯電話の操作キー入力により入金情報を入力する入金情報入力手段と、入金情報に基づき、ＰＯＳアプリケーションプログラムを実行することにより会計処理を行う会計処理手段と、会計処理による会計結果を記憶する会計結果記憶手段と、入金情報および会計結果を表示する表示手段と、会計結果を含む出力情報を出力する出力手段と、を備えることが好ましい。
【０００７】
また、本発明のＰＯＳシステムの会計処理方法は、携帯電話の操作キー入力により入金情報を取得し、これに基づいて当該携帯電話により会計処理を行う携帯電話ＰＯＳ端末と、当該携帯電話ＰＯＳ端末に対し、会計処理を行うためのＰＯＳアプリケーションプログラムを提供すると共に、その対価を得るシステムサーバと、により構成されるＰＯＳシステムの会計処理方法であって、システムサーバから携帯電話ＰＯＳ端末にＰＯＳアプリケーションプログラムを提供するＰＯＳアプリケーションプログラム提供工程と、携帯電話ＰＯＳ端末に、入金情報を入力する入金情報入力工程と、携帯電話ＰＯＳ端末において、入金情報に基づき、ＰＯＳアプリケーションプログラムを実行することにより会計処理を行う会計処理工程と、携帯電話ＰＯＳ端末に、会計処理による会計結果を記憶する会計結果記憶工程と、携帯電話ＰＯＳ端末から、会計結果を含む出力情報を出力する出力工程と、を備えたことを特徴とする。
【０００８】
これらの構成によれば、一般に利用されている携帯電話にＰＯＳアプリケーションプログラムをダウンロードするだけで、通常の据え置きタイプのＰＯＳ端末で実行可能な支払決済処理（入金情報に基づき会計処理を行い、更にこれを記憶・出力する処理）を行うことができるため、高価なＰＯＳ端末を導入する必要がなく、低コストでＰＯＳシステムを構築することができる。また、携帯電話の操作キーを用いて入金情報を入力することにより、操作が容易であり、且つ手軽に利用することができる。
【０００９】
この場合、システムサーバおよび携帯電話ＰＯＳ端末から情報提供サービスを受けるための顧客アプリケーションプログラムを、無線通信によって携帯電話にダウンロードした携帯電話顧客端末を更に備え、携帯電話顧客端末は、情報提供サービスとして、携帯電話顧客端末のユーザの支払によって生じる、携帯電話ＰＯＳ端末への入金情報に基づく出力情報を取得する支払情報取得手段を有することが好ましい。
【００１０】
また、この場合、ＰＯＳシステムは、システムサーバおよび携帯電話ＰＯＳ端末から情報提供サービスを受けるための顧客アプリケーションプログラムを、無線通信によって携帯電話にダウンロードした携帯電話顧客端末を更に備え、携帯電話顧客端末は、情報提供サービスとして、携帯電話顧客端末のユーザの支払によって生じる、携帯電話ＰＯＳ端末への入金情報に基づく出力情報を取得することが好ましい。
【００１１】
これらの構成によれば、携帯電話顧客端末のユーザは、システムサーバおよび携帯電話ＰＯＳ端末から情報提供サービスを受けることができると共に、自分の支払に対する携帯電話ＰＯＳ端末からの出力情報を取得することができる。このため、携帯電話顧客端末のユーザは、この出力情報を取引データとしてレシートの代わりに利用することができる。なお、携帯電話顧客端末が取得する出力情報は、出力情報を記録した記録媒体、無線通信、赤外線通信など、いかなる形態であっても良い。
【００１２】
この場合、支払情報取得手段は、出力手段によりトランザクション終了毎に出力される出力情報を取得し、当該出力情報は、入金情報を含むことが好ましい。
【００１３】
また、この場合、携帯電話ＰＯＳ端末は、出力工程において、トランザクション終了毎に出力情報を出力し、当該出力情報は、入金情報を含むことが好ましい。
【００１４】
これらの構成によれば、携帯電話顧客端末は、携帯電話ＰＯＳ端末の会計処理後、迅速に出力情報を取得することができる。さらに、出力情報には入力情報が含まれるため、会計結果だけでなく、入力された内容までも確認することができる。
【００１５】
これらの場合、携帯電話ＰＯＳ端末および携帯電話顧客端末は、赤外線により、互いに情報の授受を行う赤外線通信手段を更に備え、出力手段は、赤外線通信手段を介して出力情報を出力することが好ましい。
【００１６】
また、これらの場合、携帯電話ＰＯＳ端末は、出力工程において、赤外線により出力情報を出力し、携帯電話顧客端末は、これを受信することが好ましい。
【００１７】
これらの構成によれば、携帯電話ＰＯＳ端末は、赤外線により出力情報を出力し、携帯電話顧客端末は、赤外線によりこれを取得することができる。このため、容易且つ迅速に出力情報の授受を行うことができる。
【００１８】
この場合、情報提供サービスには、携帯電話顧客端末の赤外線通信手段によって、携帯電話ＰＯＳ端末に対し、代金の支払いに関する情報を送信することによって決済処理を行う赤外線決済手段が含まれることが好ましい。
【００１９】
また、この場合、情報提供サービスには、携帯電話顧客端末から携帯電話ＰＯＳ端末に対し、赤外線により代金の支払いに関する情報を送信することができるサービスが含まれることが好ましい。
【００２０】
これらの構成によれば、携帯電話顧客端末から携帯電話ＰＯＳ端末に対し、赤外線により代金の支払いに関する情報を送信することができるため、容易且つ迅速に決済処理を行うことができる。
【００２１】
これらの場合、情報提供サービスには、携帯電話ＰＯＳ端末により会計結果に応じて付与されたサービスポイントに関するポイント情報を取得するポイント情報取得手段と、ポイント情報に基づき、サービスポイントを積算するポイント積算手段とが含まれることが好ましい。
【００２２】
また、これらの場合、情報提供サービスには、携帯電話ＰＯＳ端末により会計結果に応じて付与されたサービスポイントに関するポイント情報を取得し、当該ポイント情報に基づいて、サービスポイントを積算するサービスが含まれることが好ましい。
【００２３】
これらの構成によれば、携帯電話顧客端末は、会計結果に応じてサービスポイントに関するポイント情報を取得し、当該ポイント情報に基づいて、サービスポイントを積算することができる。したがって、この積算したサービスポイントにより、種々のサービスを携帯電話ＰＯＳ端末のユーザ（携帯電話ＰＯＳ端末を利用する店舗）から受けることができる。
【００２４】
これらの場合、携帯電話ＰＯＳ端末から前記システムサーバに、無線通信を介して出力情報を送信する出力情報送信工程を更に備え、システムサーバは、出力情報を記憶するデータベースを備えたことが好ましい。
【００２５】
また、これらの場合、携帯電話ＰＯＳ端末により、無線通信を介して出力情報をシステムサーバに送信する出力情報送信工程を更に備え、システムサーバは、出力情報をデータベースに記憶することが好ましい。
【００２６】
これらの構成によれば、システムサーバは、携帯電話ＰＯＳ端末から送信された出力情報を記憶するデータベースを備えているため、システムサーバにおいても、会計結果等を把握することができる。
【００２７】
この場合、出力情報送信手段は、トランザクション終了毎に出力情報を送信することが好ましい。
【００２８】
また、この場合、出力情報送信工程は、トランザクション終了毎に出力情報を送信することが好ましい。
【００２９】
これらの構成によれば、携帯電話ＰＯＳ端末は、システムサーバに対し、トランザクション終了毎に出力情報を送信するため、システムサーバでは、リアルタイムで出力情報を取得し、迅速に会計結果等を把握することができる。
【００３０】
これらの場合、携帯電話ＰＯＳ端末は、商品の在庫数に関する在庫情報を入力する在庫情報入力手段と、当該在庫情報をシステムサーバに送信する在庫情報送信手段とを更に備え、データベースは、在庫情報を記憶することが好ましい。
【００３１】
また、これらの場合、携帯電話ＰＯＳ端末は、商品の在庫数に関する在庫情報を入力すると共に、当該在庫情報をシステムサーバに送信し、データベースは、在庫情報を記憶することが好ましい。
【００３２】
これらの構成によれば、システムサーバのデータベースは、携帯電話ＰＯＳ端末から送信された在庫情報を記憶するため、システムサーバにおいても、商品の在庫数を把握することができる。
【００３３】
この場合、携帯電話ＰＯＳ端末は、データベースから、無線通信を介して、ユーザの指定した出力情報および／または在庫情報を取得するデータベース情報取得手段を更に備えることが好ましい。
【００３４】
また、この場合、携帯電話ＰＯＳ端末は、データベースから、無線通信を介して、ユーザの指定した出力情報および／または在庫情報を取得することが好ましい。
【００３５】
これらの構成によれば、携帯電話ＰＯＳ端末は、データベースから、無線通信を介して、指定した出力情報および／または在庫情報を取得することができるため、携帯電話ＰＯＳ端末において、これらを記憶するためのメモリ容量が少ない場合でも、必要に応じて出力情報および／または在庫情報を入手することができる。
【００３６】
これらの場合、システムサーバとネットワークを介して接続されており、少なくとも１以上の携帯電話ＰＯＳ端末を統括制御する店舗サーバを更に備え、店舗サーバは、統括制御対象となる携帯電話ＰＯＳ端末から出力された出力情報および在庫情報を、統括情報としてデータベースから取得する統括情報出力手段を有することが好ましい。
【００３７】
また、これらの場合、ＰＯＳシステムは、システムサーバとネットワークを介して接続され、且つ少なくとも１以上の携帯電話ＰＯＳ端末を統括制御する店舗サーバを更に備えており、店舗サーバは、統括制御対象となる携帯電話ＰＯＳ端末から出力された出力情報および在庫情報を、統括情報としてデータベースから取得することが好ましい。
【００３８】
これらの構成によれば、店舗サーバは、システムサーバのデータベースから、統括情報（統括制御対象となる出力情報および在庫情報）を取得することができる。したがって、店舗サーバは、統括制御対象となる少なくとも１以上の携帯電話ＰＯＳ端末の会計結果等を迅速に取得し、これを把握することができる。
【００３９】
この場合、システムサーバは、データベースの中に記憶された出力情報および在庫情報に基づいて、売上成績や取引結果を示す財務会計データを作成する財務会計データ作成手段を更に備え、店舗サーバは、統括情報に基づいて作成された財務会計データを取得する財務会計データ取得手段を更に備えることが好ましい。
【００４０】
また、この場合、システムサーバは、データベースの中に記憶された出力情報および在庫情報に基づいて、売上成績や取引結果を示す財務会計データを作成し、店舗サーバは、統括情報に基づいて作成された財務会計データを取得することが好ましい。
【００４１】
これらの構成によれば、店舗サーバは、システムサーバにより、統括情報に基づいて作成された売上成績や取引結果を示す財務会計データを取得することができる。したがって、店舗において財務会計データを作成する手間を省くことができ、ひいては、これを作成するために必要となる財務会計ソフト等のコストを削減することができる。
【００４２】
これらの場合、システムサーバは、データベースに記憶した出力情報および在庫情報に基づいて、売上推移や販売動向を分析した売上分析データを作成する売上分析データ作成手段を更に備え、店舗サーバは、統括情報に基づいて作成された売上分析データを取得する売上分析データ取得手段を更に備えることが好ましい。
【００４３】
また、これらの場合、システムサーバは、データベースに記憶した出力情報および在庫情報に基づいて、売上推移や販売動向を分析した売上分析データを作成し、店舗サーバは、統括情報に基づいて作成された売上分析データを取得することが好ましい。
【００４４】
これらの構成によれば、店舗サーバは、システムサーバにより、統括情報に基づいて作成された、売上推移や販売動向を分析した売上分析データを取得することができる。したがって、店舗において売上分析データを作成する手間を省くことができ、ひいては、これを作成するために必要となる売上管理ソフト等のコストを削減することができる。
【００４５】
これらの場合、システムサーバは、店舗サーバを保有する店舗別にＰＯＳアプリケーションプログラムを生成すると共に、データベースには、当該ＰＯＳアプリケーションプログラムを複数記憶しており、店舗サーバは、データベースから店舗用のＰＯＳアプリケーションプログラムを読み出し、当該ＰＯＳアプリケーションプログラムの書き換え・更新を行うＰＯＳアプリケーションプログラム更新手段を更に備えることが好ましい。
【００４６】
また、これらの場合、システムサーバは、店舗サーバを保有する店舗別にＰＯＳアプリケーションプログラムを生成すると共に、データベースには、当該ＰＯＳアプリケーションプログラムを複数記憶しており、店舗サーバは、データベースから店舗用のＰＯＳアプリケーションプログラムを読み出し、当該ＰＯＳアプリケーションプログラムの書き換え・更新を行うことが好ましい。
【００４７】
これらの構成によれば、店舗サーバは、適宜必要に応じて、データベースから店舗用のＰＯＳアプリケーションプログラムを読み出し、書き換え・更新を行うことができる。したがって、携帯電話ＰＯＳ端末にダウンロードする店舗用のＰＯＳアプリケーションプログラムを、まとめて更新し、これをダウンロードさせることができる。
【００４８】
これらの場合、システムサーバは、ネットワークを介して、店舗サーバからＰＯＳアプリケーションプログラムの開発依頼を受け付けるアプリケーション開発受付手段と、開発依頼に対し、ＰＯＳアプリケーションプログラムの作成ユーティリティを提供する作成ユーティリティ提供手段と、を備え、作成ユーティリティには、商品に関する商品情報から成る商品マスタ、商品情報とその金額に関する金額情報とを関連づけた金額テーブル、入金対象となる商品の取扱い担当者に関する担当者情報から成る担当者マスタ、顧客に関する顧客情報から成る顧客マスタのうち、いずれかを作成するための情報を入力する設定画面の実行プログラムが含まれることが好ましい。
【００４９】
また、これらの場合、システムサーバは、ネットワークを介して、店舗サーバからＰＯＳアプリケーションプログラムの開発依頼を受け付けると共に、当該開発依頼に対し、ＰＯＳアプリケーションプログラムの作成ユーティリティを店舗サーバに提供し、作成ユーティリティには、商品に関する商品情報から成る商品マスタ、商品情報とその金額に関する金額情報とを関連づけた金額テーブル、入金対象となる商品の取扱い担当者に関する担当者情報から成る担当者マスタ、顧客に関する顧客情報から成る顧客マスタのうち、いずれかを作成するための情報を入力する設定画面の実行プログラムが含まれることが好ましい。
【００５０】
これらの構成によれば、システムサーバは、ネットワークを介して、顧客店舗からＰＯＳアプリケーションプログラムの開発依頼を受け付けると共に、当該開発依頼に対し、ＰＯＳアプリケーションプログラムの作成ユーティリティを提供するため、顧客店舗は、手軽にＰＯＳアプリケーションプログラムの開発依頼を行うことができる。また、作成ユーティリティには、商品マスタ、金額テーブル、担当者マスタおよび顧客マスタ等を作成するための情報を入力する設定画面の実行プログラムが含まれるため、顧客店舗は容易にこれらの情報を入力することができ、システムサーバにとっても、容易且つ迅速にＰＯＳアプリケーションプログラムを作成することができるといった利点を有する。
【００５１】
【発明の実施の形態】
以下、本発明の一実施形態に係るＰＯＳシステムおよびその会計処理方法について、添付図面を参照しながら詳細に説明する。本発明は、一般に利用されている携帯電話にＰＯＳアプリケーションプログラムをダウンロードするだけで、通常の据え置きタイプのＰＯＳ端末で実行可能な支払決済処理（入金情報に基づき会計処理を行い、更にこれを記憶・出力する処理）を行うことができるため、高価なＰＯＳ端末を導入する必要がなく、低コストで支払決済処理を行うことができる。したがって、ＰＯＳシステムの構築も、低コストで行うことができる。また、携帯電話の操作キーを用いて入金情報を入力することができるため、操作が容易であり、しかも手軽に利用することができるといった作用・効果も奏する。そこで、以下、ＰＯＳ端末の機能を実現可能な携帯電話（以下、「携帯電話ＰＯＳ端末」という）を用いたＰＯＳシステムを例に挙げて説明する。
【００５２】
図１に示すように、本発明のＰＯＳシステム１０は、少なくとも１台以上の携帯電話ＰＯＳ端末２０（参照図では、１台のみ図示）と、本システム１０を運営・管理する管理会社３１によって管理され、携帯電話ＰＯＳ端末２０に会計処理を行わせるためのＰＯＳアプリケーションプログラムを提供するシステムサーバ３０と、システムサーバ３０とネットワーク６０を介して接続され、少なくとも１台以上の携帯電話ＰＯＳ端末２０を統括制御する店舗サーバ５０と、携帯電話ＰＯＳ端末２０と決済取引を行うと供に、システムサーバ３０から顧客アプリケーションプログラムの提供を受ける顧客（一般ユーザ）４１用の携帯電話（以下、「携帯電話顧客端末４０」という）とによって構成されている。
【００５３】
また、携帯電話ＰＯＳ端末２０および店舗サーバ５０は、１つの店舗２１によって構成されており、各店舗２１では、少なくとも１つ以上の店舗サーバ５０と、これら店舗サーバ５０によって制御される１台以上の携帯電話ＰＯＳ端末２０、もしくは据え置きタイプの携帯電話ＰＯＳ端末２０とにより、店舗内ＰＯＳシステム１０が構築されている。但し、ここでは、説明を容易にするため、店舗内ＰＯＳシステム１０は、１つの店舗サーバ５０と、これによって制御される１台の携帯電話ＰＯＳ端末２０とによって構成されているものとする。
【００５４】
携帯電話ＰＯＳ端末２０では、ユーザ（オペレータ）が、図示しないインターフェースによって接続されたバーコードリーダ２２によって、商品に貼付または印刷されたバーコードを読み取るなどして入金情報を入力し、当該入金情報に基づいてＰＯＳアプリケーションプログラムを実行することにより会計処理を行う。また、この会計処理による会計結果や、購入した商品およびその金額に関する情報等を出力情報として出力し、当該出力情報を無線通信によってシステムサーバ３０に送信する。さらに、この出力情報を、図示しないインターフェースによって接続されたプリンタ２４によって出力することで、レシートとして利用可能な印刷物を発行することができると共に、カードリーダ２３によって顧客４１のクレジットカードやプリペイドを読み取ることにより、現金以外でもこれらによる決済処理が可能となっている。
【００５５】
さらに、携帯電話ＰＯＳ端末２０では、オペレータが、バーコードリーダ２２によって店舗２１内の商品のバーコードを読み取り、さらにその在庫数を入力することによって、商品とその在庫数に関する情報である在庫情報をシステムサーバ３０に送信するといった在庫処理も行っている。なお、携帯電話ＰＯＳ端末２０と接続して用いられるバーコードリーダ２２、カードリーダ２３およびプリンタ２４は、携帯可能なハンディタイプのものを用いることが好ましい。この構成によれば、移動販売などにおいて携帯電話ＰＯＳ端末２０を利用する場合に、持ち運びが容易となる。
【００５６】
一方、システムサーバ３０では、携帯電話ＰＯＳ端末２０から送信された出力情報および在庫情報を、データベース３５に格納する。また、携帯電話ＰＯＳ端末２０から、これらの情報の出力要求があった場合には、要求に応じてこれを読み出し、携帯電話ＰＯＳ端末２０へ情報を返信する。これにより、携帯電話ＰＯＳ端末２０では、これら出力情報および在庫情報を格納するためのメモリ容量が少ない場合でも、データベース３５から必要な情報を適宜出力可能となっている。なお、携帯電話ＰＯＳ端末２０内に記録可能な容量の情報については、携帯電話ＰＯＳ端末２０から直接出力することも当然可能である。
【００５７】
また、システムサーバ３０は、無線通信により、携帯電話ＰＯＳ端末２０に、会計処理を実行するためのＰＯＳアプリケーションプログラムを提供する。このＰＯＳアプリケーションプログラムは、店舗２１側からのシステムサーバ３０に対する開発依頼に基づき、システムサーバ３０が、ネットワーク６０を介してＰＯＳアプリケーションプログラムの作成ユーティリティを送信し、店舗担当者によって必要事項の入力・設定が行われた後、当該設定に基づいて作成するものである。これに対し、店舗２１は、ＰＯＳアプリケーションプログラムの開発費として、所定料金を管理会社３１に支払う。なお、ＰＯＳアプリケーションプログラムの更新（マスタやテーブルの修正・書換など）については、店舗担当者がシステムサーバ３０にアクセスして、当該店舗用のＰＯＳアプリケーションプログラムを読み出すことにより、適宜実行可能である。
【００５８】
ここで、ＰＯＳアプリケーションプログラムとは、携帯電話に会計処理を行わせるための会計処理実行プログラムの他、各種マスタやテーブルを含むものであり（ＰＯＳアプリケーションプログラム記憶部２６１；図２参照）、Ｊａｖａ（登録商標）プログラミング言語によって書かれている。したがって、Ｊａｖａ（登録商標）プログラムが利用可能な携帯電話であれば、本発明のＰＯＳアプリケーションプログラムは実行可能である。例えば、株式会社エヌ・ティ・ティ・ドコモが提供する「ｉモード（登録商標）」といったインターネット接続サービスでは、「ｉアプリ（登録商標）」というＪａｖａ（登録商標）プログラミング言語によって書かれたプログラムを利用可能であるが、「ｉモード（登録商標）」対応の携帯電話には、この「ｉアプリ（登録商標）」の一種として本発明のＰＯＳアプリケーションプログラムを提供することができる。
【００５９】
また、システムサーバ３０は、店舗サーバ５０に対して、店舗サーバ５０が統括制御する携帯電話ＰＯＳ端末２０から送信された統括情報（出力情報および在庫情報）を、ネットワーク６０を介して随時リアルタイムで送信する。その他、当該統括情報に基づいて、売上成績や取引結果を示す財務会計データや、売上推移や販売動向を分析した売上分析データを作成し、これを月々若しくは所定の期間ごとに店舗サーバ５０に送信する。
【００６０】
一方、店舗サーバ５０は、顧客（一般ユーザ）４１に向けたメール情報の送信をシステムサーバ３０に対して依頼すると共に、システムサーバ３０にアクセスして、ＰＯＳアプリケーションプログラムの更新を行う。このため、店舗２１は、システムサーバ３０を管理する管理会社３１に対し、上記のＰＯＳアプリケーションプログラムの開発費の他、システムサーバ３０の使用料、並びに統括情報、財務会計データおよび売上分析データの提供を受けるための情報料として、月々、若しくは年単位で所定の料金の支払いを行う。なお、システムサーバ３０と店舗サーバ５０との、データ通信には、ＳＳＬ（米Ｎｅｔｓｃａｐｅ社）などのプロトコルを用いて、通信の暗号化と認証がなされ、第三者によるデータの改ざんや盗用を防止している。
【００６１】
携帯電話顧客端末４０は、システムサーバ３０から、サービスの提供を受けるための顧客アプリケーションプログラムを取得してダウンロードすることにより、システムサーバ３０や携帯電話ＰＯＳ端末２０から種々の情報提供サービスを受けることができるようになっている。顧客アプリケーションプログラムの提供を受けるためには、システムサーバ３０に対して会員登録が必要となっており、月々若しくは年単位で会費等の支払いが必要となっている。会員登録を行った顧客（会員）４１は、システムサーバ３０と契約が交わされた複数の加盟店舗２１のサービスを受けることが可能となっており、会員にとっては、複数の店舗２１で個々に会員登録を行う手間を省くことができ、店舗２１にとっては、顧客管理や会員サービス実施のためのコスト、広告費などの経費を削減できるといった利点を有する。
【００６２】
携帯電話顧客端末４０が受けられる情報提供サービスとしては、例えば、システムサーバ３０からのお買い得情報や会員特典情報などのメールサービスの他、携帯電話ＰＯＳ端末２０から、支払いに関する情報（取引データ）を、赤外線ポート４７を介して取得したり、会計結果に応じて付与されるサービスポイントに関するポイント情報を取得したりすることができる。また、携帯電話顧客端末４０は、赤外線ポート４７を介して、代金の支払いに関する決済情報を携帯電話ＰＯＳ端末２０に送信することにより、現金以外の決済取引も行うことができるようになっている。
【００６３】
ここで、上記のＰＯＳシステム１０を構成する各構成要素について、詳細に説明する。図２は、携帯電話ＰＯＳ端末２０の機能ブロック図である。同図に示すように、携帯電話ＰＯＳ端末２０は、システムサーバ３０から送信されたＰＯＳアプリケーションプログラムを取得するＰＯＳアプリケーション取得部２１０と、システムサーバ３０のデータベース３５内に格納された出力情報および在庫情報（当該携帯電話ＰＯＳ端末２０から送信した出力情報および在庫情報に限る）を取得するデータベース情報取得部２２０と、各種情報を入力する入力部２３０と、会計処理およびその他の情報処理を行う情報処理部２４０と、赤外線により情報の授受を行うことによって決済処理を行う赤外線処理部２５０と、ＰＯＳアプリケーションプログラムおよびその他の情報を記憶する記憶部２６０と、商品の在庫管理に関する処理を行う在庫処理部２７０と、表示画面２５（図６参照）上に各種情報を表示する表示部２８０と、携帯電話顧客端末４０、システムサーバ３０およびプリンタ２４に各種情報・データを出力する出力部２９０とによって構成されている。
【００６４】
入力部２３０は、バーコードリーダ２２およびカードリーダ２３から図示しないインターフェースを介してバーコード情報およびカード情報（クレジットカード情報、プリペイドカード情報）を入力する外部情報入力部２３１と、入金の対象となる商品の取扱い担当者に関する担当者情報を入力する担当者情報入力部２３２と、商品を購入した顧客４１に関する顧客情報を入力する顧客情報入力部２３３と、バーコードリーダ２２による読み取り情報や商品コードの入力により商品に関する情報を入力する商品情報入力部２３４と、数字ボタンＮＢ（図６（ｂ）参照）の操作により商品の金額を入力する入金情報入力部２３５とを備え、これらの中から少なくとも１以上の情報が入力される。このように、各種情報が入力されることにより、担当者別の売上や、顧客層（年齢、性別および職業）別の人気商品等が明確となり、システムサーバ３０における売上分析データの作成に役立てることができる。なお、商品情報と入金情報は、両方の情報が重ねて入力される必要はなく、いずれか一方のみが入力されれば良い。これは、商品情報が入力されることで、その商品の金額（入金情報）が金額テーブル（後述する）から特定できるためである。
【００６５】
情報処理部２４０は、入力情報に基づいて会計処理を実行する会計処理部２４１と、各顧客４１に対し、会計結果に応じてサービスポイントを付与するポイント付与部２４２と、顧客別に付与したサービスポイントを積算するポイント積算部２４３と、ＰＯＳアプリケーション取得部２１０によって取得したＰＯＳアプリケーションプログラムの内容を書き換え・修正する情報更新部２４４とを備えている。
【００６６】
会計処理部２４１は、商品情報または入金情報の入力によって、会計処理を行う。また、その会計結果は、会計結果記憶部２６４に記憶されると共に、出力情報としてシステムサーバ３０に送信される。なお、図示しないインターフェースを介して接続されたプリンタ２４により、商品情報、入金情報および会計結果を出力することも可能である。また、ポイント積算部２４３で積算されたサービスポイントに関するポイント情報は、ポイント情報記憶部２６５に記憶され、会計結果等と同様に、出力情報としてシステムサーバ３０に送信される。さらに、ポイント積算部２４３で積算されたポイント情報は、プリンタ２４によって出力することも可能である。
【００６７】
赤外線処理部２５０は、赤外線ポート２７から成る赤外線通信部２５１と、赤外線によって携帯電話顧客端末４０との決済処理を行う赤外線決済部２５２とを備え、本体の赤外線ポート２７と、携帯電話顧客端末４０に備えられた赤外線ポート４７とを近づけて赤外線送信処理を行うことで、携帯電話顧客端末４０からの決済情報を取得し、決済処理を行うことができる。取得した決済情報は、後述の決済情報記憶部２６６に記憶され、出力情報としてシステムサーバ３０に送信される。また、赤外線通信部２５１では、サービスポイントの授受も可能であり、ポイント付与部２４２で付与したポイント情報を携帯電話顧客端末４０に送信したり、携帯電話顧客端末４０から蓄積したポイント情報を取得して、それに応じたサービスを提供すると共に、携帯電話顧客端末４０内のサービスポイント数を削減する処理を行うことも可能である。また、赤外線決済部２５２による決済情報を、プリンタ２４により出力することも可能である。
【００６８】
記憶部２６０は、ＰＯＳアプリケーション取得部２１０で取得したＰＯＳアプリケーションプログラムを記憶するＰＯＳアプリケーションプログラム記憶部２６１と、入力情報を記憶する入力情報記憶部２６２と、データベース取得部２２０で取得した出力情報および在庫情報等のデータベース情報を記憶するデータベース情報記憶部２６３と、会計処理部による会計結果を記憶する会計結果記憶部２６４と、ポイント積算部２４３で積算されたサービスポイントに関するポイント情報を記憶するポイント情報記憶部２６５と、赤外線決済部２５２で決済処理された決済情報を記憶する決済情報記憶部２６６とを備えている。
【００６９】
ＰＯＳアプリケーションプログラム記憶部２６１は、主に会計処理部２４１において会計処理を実行させるための会計処理実行プログラムの他、商品に関する商品情報から成る商品マスタと、商品情報とその金額に関する金額情報とを関連づけた金額テーブル、入金対象となる商品の取扱い担当者に関する担当者情報から成る担当者マスタと、顧客４１に関する顧客情報から成る顧客マスタとが記憶されている。但し、店舗２１の業務形態によって、担当者マスタや顧客マスタが必要でない場合は、これらの情報は記憶されない。また、商品マスタ、金額テーブル、担当者マスタおよび顧客マスタは、複数記憶可能となっており（例えば、「美容室用マスタ」、「弁当店用マスタ」など；図６（ａ）参照）、オペレータは、所望するマスタを選択して、入金情報を入力することとなる（詳細については後述する）。
【００７０】
また、会計結果記憶部２６４、ポイント情報記憶部２６５および決済情報記憶部２６６では、フラッシュメモリやＥＥＰＲＯＭなどの不揮発性メモリに各種情報を記憶するため、携帯電話サービスエリア外であっても、またネットワーク障害が発生した場合でも、業務を継続することができるようになっている。
【００７１】
在庫処理部２７０は、在庫情報を入力する在庫情報入力部２７１と、入力した在庫情報をシステムサーバ３０に送信する在庫情報送信部２７２とを備えている。在庫情報入力部２７１では、商品コードとその在庫数を数字ボタンＮＢによって入力したり、若しくはバーコードリーダ２２によって商品情報を取得し、その在庫数を数字ボタンＮＢで入力したりすることが可能である。また、在庫情報送信部２７２では、入力された在庫情報を、出力部２９０を介してシステムサーバ３０に送信するが、この在庫情報送信部２７２に代えて、記憶部２６０内に、入力した在庫情報を一旦記憶し、その後システムサーバ３０に送信する構成としても良い。また、プリンタ２４により、入力した在庫情報を出力することも可能である。
【００７２】
次に、図３の機能ブロック図を参照し、システムサーバ３０の制御構成について、説明する。システムサーバ３０は、携帯電話ＰＯＳ端末２０や店舗サーバ５０から情報を取得する情報取得部３１０と、取得した情報をデータベース３５内に記憶するデータベース記憶部３２０と、携帯電話ＰＯＳ端末２０から出力された出力情報および在庫情報に基づいて、会計処理に関するデータを作成するデータ作成部３３０と、ＰＯＳアプリケーションプログラムの作成を行うＰＯＳアプリケーション作成部３４０と、携帯電話顧客端末４０に対する各種サービスに関する処理を行う顧客サービス処理部３５０と、携帯電話ＰＯＳ端末２０、店舗サーバ５０および携帯電話顧客端末４０に対し、各種情報を出力する出力部３６０とによって構成されている。
【００７３】
情報取得部３１０は、携帯電話ＰＯＳ端末２０から送信された出力情報を取得する出力情報取得部３１１と、同じく携帯電話ＰＯＳ端末２０から送信された在庫情報を取得する在庫情報取得部３１２と、店舗サーバ５０によって入力されたＰＯＳアプリケーションプログラムの更新に関する更新情報を取得するＰＯＳアプリケーション更新情報取得部３１３と、同じく店舗サーバ５０から提供された、携帯電話顧客端末４０に送信するためのメール情報を取得するメール情報取得部３１４とを備えている。
【００７４】
また、データベース記憶部３２０は、情報取得部３１０の各部で取得した情報を記憶しており（出力情報記憶部３２１、在庫情報記憶部３２２、ＰＯＳアプリケーションプログラム記憶部３２３およびメール情報記憶部３２４）、このうち出力情報および在庫情報はデータ作成部３３０による会計処理データの作成に利用すると共に、出力部３６０を介して店舗サーバ５０に随時送信する。また、ＰＯＳアプリケーション更新情報は、ＰＯＳアプリケーション更新部３４２によるプログラムデータ更新に用いられ、メール情報は、メール送信部３５２に送られる。なお、ＰＯＳアプリケーションプログラム記憶部３２３には、上記のＰＯＳアプリケーション更新情報に基づいて随時更新されるＰＯＳアプリケーションプログラムが、顧客店舗数分記憶されている。したがって、ＰＯＳアプリケーション更新部３４２では、各店舗用のＰＯＳアプリケーションプログラムを、ＰＯＳアプリケーションプログラム記憶部３２３から読み出して更新を行うこととなる。
【００７５】
データ作成部３３０は、携帯電話ＰＯＳ端末２０から送信された出力情報および在庫情報に基づいて、売上成績や取引結果を示す財務会計データを作成する財務会計データ作成部３３１と、同じく携帯電話ＰＯＳ端末２０から送信された出力情報および在庫情報に基づいて、売上推移や販売動向を分析した売上分析データを作成する売上分析データ作成部３３２とを備え、作成した財務会計データおよび売上分析データを、出力部３６０を介して店舗サーバ５０に送信する。
【００７６】
ここで、財務会計データの一例（売上日報）を図１４に、また、売上分析データの一例（客層・時間帯別売上表）を図１５に示す。ここでは、複数の直営店やフランチャイズ店を有する企業の本部（店舗サーバ３０）において確認される会計処理データを示している。したがって、いずれの例も、１店舗内における出力情報（複数の携帯電話ＰＯＳ端末２０が利用されている場合には複数台分の出力情報）に基づいて作成されている。
【００７７】
また、この他にも財務会計データとしては、売上明細一覧表、ジャーナル結果一覧表および取引合計表などが作成され、売上分析データとしては、担当者別売上一覧表および商品別売上一覧表などが作成される。また、その他、在庫情報に基づいて、在庫増減一覧表や棚卸台帳などを作成するようにしても良い。なお、これら財務会計データおよび売上分析データは、ネットワーク６０を介して送信されるのではなく、これらのデータを印刷した印刷物を、郵送によって店舗２１若しくは携帯電話ＰＯＳ端末２０使用者に送信するようにしても良い。
【００７８】
ＰＯＳアプリケーション作成部３４０は、管理会社３１に対して顧客となる顧客店舗２１からＰＯＳアプリケーションプログラムの開発依頼を受け付けるＰＯＳアプリケーション開発受付部３４１と、店舗サーバ５０から送信された更新情報に基づいてＰＯＳアプリケーションの更新を行うＰＯＳアプリケーション更新部３４２と、ＰＯＳアプリケーションプログラムの開発依頼に対して、ＰＯＳアプリケーションプログラムを作成するための作成ユーティリティを提供する作成ユーティリティ提供部３４３と、を備えている。
【００７９】
作成ユーティリティ提供部３４３では、作成ユーティリティとして、商品マスタ、金額テーブル、担当者マスタおよび顧客マスタ等（図１２および図１３参照）を作成するための情報を入力する設定画面の実行プログラムを店舗サーバ５０に送信し、顧客店舗２１の担当者が、当該設定画面内に必要事項を入力していくことで、上記のデータを作成する。作成されたデータは、システムサーバ３０に返信され、これに基づいて作成ユーティリティ提供部３４３では、セミオーダ形式のＰＯＳアプリケーションプログラムを作成することができる。また、作成ユーティリティ提供部３４３では、作成したＰＯＳアプリケーションプログラムを、出力部３６０を介して、指定された携帯電話ＰＯＳ端末２０に送信すると共に、ＰＯＳアプリケーションプログラム記憶部３２３に記憶する。なお、システムサーバ３０は、作成ユーティリティを店舗サーバ５０に送信するのではなく、店舗担当者がシステムサーバにアクセスして、設定画面内に必要事項を入力していく構成としても良い。このように、作成ユーティリティを提供することで、顧客店舗２１の担当者は容易にこれらの情報を入力することができ、システムサーバ３０にとっても、容易且つ迅速にＰＯＳアプリケーションプログラムを作成することができる。
【００８０】
顧客サービス処理部３５０は、携帯電話顧客端末４０に、顧客アプリケーションプログラムを提供する顧客アプリケーション提供部３５１と、同じく携帯電話顧客端末４０に対して店舗サーバ５０から依頼されたメール情報を送信するメール送信部３５２とを備えている。メール情報としては、主に顧客店舗２１のお買い得情報や会員特典情報などが含まれるが、店舗サーバ５０から依頼された情報だけでなく、管理会社３１によって作成した広告情報や、他社の広告を提供するなど広告媒体としても使用可能である。
【００８１】
顧客アプリケーション提供部３５１は、顧客（一般ユーザ）４１からの申込み（会員登録）に対して顧客アプリケーションプログラムを提供するが、この顧客アプリケーションプログラムも、ＰＯＳアプリケーションプログラムと同様に、Ｊａｖａ（登録商標）プログラミング言語によって書かれているため、Ｊａｖａ（登録商標）プログラムを使用可能な携帯電話に限り、実行可能となっている。
【００８２】
次に、図４の機能ブロック図を参照し、携帯電話顧客端末４０の制御構成について、説明する。携帯電話顧客端末４０は、システムサーバ３０から情報を取得する情報取得部４１０と、取得した情報を記憶する記憶部４２０と、赤外線によって携帯電話ＰＯＳ端末２０との決済処理を行う赤外線処理部４３０と、表示画面４５上に各種情報を表示する表示部４４０と、携帯電話ＰＯＳ端末２０に対して各種情報を出力する出力部４５０とによって構成されている。
【００８３】
情報取得部４１０は、システムサーバ３０から送信された顧客アプリケーションプログラムを取得する顧客アプリケーションプログラム取得部４１１と、システムサーバ３０および携帯電話ＰＯＳ端末２０から各種サービスに関する情報を取得するサービス情報取得部４１２とを備え、サービス情報取得部４１２は、システムサーバ３０からのメール情報を取得するメール情報取得部４１３と、赤外線ポート４７を介して代金の支払いを行う場合、携帯電話ＰＯＳ端末２０からその支払金額に関する情報を取得する支払情報取得部４１４と、同じく赤外線ポート４７を介して携帯電話ＰＯＳ端末２０からサービスポイントに関するポイント情報を取得するポイント情報取得部４１５とを有している。
【００８４】
また、記憶部４２０は、情報取得部４１０の各部で取得した情報を記憶しており（顧客アプリケーションプログラム記憶部４２１、サービス情報記憶部４２２（メール情報記憶部４２３、支払情報記憶部４２４、ポイント情報記憶部４２５））、サービス情報記憶部４２２内に記憶した情報は、表示画面４５によって確認可能となっている。なお、メール情報および支払情報については、必要に応じて削除、転送が可能であるが、ポイント情報については、書き換えができないようロックされている。
【００８５】
赤外線処理部４３０は、赤外線ポート４７から成る赤外線通信部４３１と、赤外線によって携帯電話顧客端末４０との決済処理を行う赤外線決済部４３２とを備え、本体の赤外線ポート４７と、携帯電話ＰＯＳ端末２０に備えられた赤外線ポート２７とを近づけて赤外線送信処理を行うことで、決済処理を行うことができるようになっている。また、赤外線通信部４３１では、サービスポイントの授受も可能であり、携帯電話ＰＯＳ端末２０から付与されたポイント情報を受信したり、蓄積したポイント情報を送信して、それに応じたサービスを受けることも可能である。
【００８６】
次に、図５の機能ブロック図を参照し、店舗サーバ５０の制御構成について、説明する。店舗サーバ５０は、システムサーバ３０から情報を取得する情報取得部５１０と、ＰＯＳアプリケーションプログラムを更新するための更新情報を作成するＰＯＳアプリケーションプログラム更新情報作成部５２０と、顧客（一般ユーザ）４１に対して送信するメール情報を作成するメール情報作成部５３０と、取得した情報や作成した情報を表示するパーソナルコンピュータの表示ディスプレイ５５を備えた表示部５４０と、システムサーバ３０に対して情報を出力する出力部５５０とによって構成されている。
【００８７】
情報取得部５１０は、店舗２１の統括対象である携帯電話ＰＯＳ端末２０から出力された統括情報（出力情報および在庫情報）をデータベース３５から取得する（システムサーバ３０から受信する）統括情報取得部５１１と、システムサーバ３０から送信された財務会計データを取得する財務会計データ取得部５１２と、同じくシステムサーバ３０から送信された売上分析データを取得する売上分析データ取得部５１３とを備えている。ここで、財務会計データおよび売上分析データは、統括情報（出力情報および在庫情報）に基づいて、システムサーバ３０により作成されたデータを取得するが、自社で財務会計を行っている店舗２１であれば、これらのデータの送信を希望しないといった契約も可能である。
【００８８】
ＰＯＳアプリケーションプログラム更新情報作成部５２０は、システムサーバ３０から提供された作成ユーティリティに準ずる更新ユーティリティ（商品マスタ、金額テーブル、担当者マスタおよび顧客マスタを含む）によって提供される実行プログラムの設定画面に修正・追加・削除する事項を入力することで、更新情報を作成する。また、作成した更新情報は出力部５５０を介してシステムサーバ３０に送信する。なお、携帯電話ＰＯＳ端末２０側では、起動時において、修正されたＰＯＳアプリケーションプログラムの同期を取るように構成されている。
【００８９】
また、メール情報作成部５３０は、顧客４１に対して、お買い得情報や会員特典情報などのメール情報を作成し、出力部５５０を介してシステムサーバ３０に送信する。このように、メール送信をシステムサーバ３０に依頼することで、より多くの顧客（本システムの会員）４１に対して、メール情報を送信することができる。
【００９０】
次に、携帯電話ＰＯＳ端末２０の画面構成およびキー構成について、図６を参照して説明する。同図（ａ）は、携帯電話ＰＯＳ端末２０の画面構成（表示画面２５）を示したものであるが、参照番号ＵＤは、金額や数量、並びにエラー等の状態を表示する上部ディスプレイを示し、参照番号ＫＰは、メニューや商品を表示するキーパッドを示し、また、参照番号ＳＬ１およびＳＬ２は、後述のソフトキーＳＫ１およびＳＫ２に割り当てられた機能を表示するソフトラベルを示している。
【００９１】
また、同図は、ＰＯＳアプリケーションプログラム起動直後の、システムメニュー選択画面（第１階層画面）を示したものであり、各キーパッドＫＰに示すとおり、販売した商品を登録（入力）する「１．売上登録」、売上登録に基づく出力情報をシステムサーバ３０に送信する「２．売上送信」、過去の出力情報をまとめて印刷する「３．売上印刷」といった機能を選択することができる。以下、順にこれらの操作について説明する（図７〜図１１参照）。
【００９２】
また、１台の携帯電話ＰＯＳ端末２０で、複数の業種による会計処理を行う場合など、複数のマスタを登録可能となっており、全部で９つのマスタが登録可能となっている。ここでは、「４．デモ用マスタ」、「７．美容室用マスタ」、「８．弁当店用マスタ」など、７つのマスタが登録されており、マスタを選択した後、上記「１．売上登録」の処理を行うことができるようになっている。また、これらのマスタは、それぞれ内税、外税が設定されており、これに基づいて合計金額が算出される（図８（ｃ）の上部ディスプレイＵＤ参照）。さらに、システムメニュー選択画面では、上部ディスプレイＵＤにおいて、その日（最終売上登録日）の売上合計金額を表示している。
【００９３】
また、同図（ｂ）は携帯電話ＰＯＳ端末２０のキー構成を示したものであるが、参照番号ＤＢは、キーパッドＫＰに表示されているカーソルを移動する方向ボタンを示し、参照番号ＲＢは、カーソルが表示されているキーを選択する決定ボタンを示し、参照番号ＮＢは、各ボタンに対応しているキーパッドＫＰの数字を選択する数字ボタンを示し、参照番号ＳＫ１は、表示画面左下のソフトラベルＳＬ１で表示されている機能を実行するソフトキー１を示し、参照番号ＳＫ２は、表示画面右下のソフトラベルＳＬ２で表示されている機能を実行するソフトキー２を示している。このように、画面構成とキー構成（特に、キーパッドＫＰと数字ボタンＮＢ）が、類似した配置となっているため、ユーザは操作を容易に行うことができ、入力ミスを減らすことができる。
【００９４】
また、携帯電話ＰＯＳ端末２０の表示画面上部には、赤外線通信手段である赤外線ポート２７を設けている。したがって、この表示画面上部を、相手の携帯電話（携帯電話顧客端末４０）の赤外線ポート４７に近づけることで、情報の授受を行うことができる。また、その他の構成については、一般に利用されている携帯電話と同様であるため、説明を省略する。
【００９５】
次に、携帯電話ＰＯＳ端末２０における操作方法について、図７ないし図１１に示す携帯電話ＰＯＳ端末２０の表示画面２５を参照して説明する。まず、売上登録処理について説明する。ここでは、オペレータにより、システムメニュー選択画面（第１階層画面）において、「８．弁当店用マスタ」ＫＰ、「１．売上登録」ＫＰが続けて選択（押下）されたものとして説明する。なお、「８．弁当店用マスタ」の商品マスタおよび金額テーブルは、図１２に示すとおりである。
【００９６】
システムメニュー選択画面において「１．売上登録」ＫＰが押下されると、図７（ａ）に示すように、メインメニュー選択画面（第２階層画面）に遷移する。ここでは、キーパッドＫＰ１〜＃に示すとおり、１２個の商品メニュー（商品情報）の中から選択可能となっている（図１２（ａ）参照）が、キーパッドＫＰ９〜＃は、サブメニューが用意されており、表示画面２５上においても他のキーパッドＫＰと色分けされている。
【００９７】
メインメニュー選択画面において、例えば「１．幕の内弁」（幕の内弁当）ＫＰが押下されると、同図（ｂ）に示すとおり、数量入力画面に遷移する。また、上部ディスプレイＵＤには、「幕の内弁当」の単価を表示する。ここで、数量が１個の場合は、キーパッドＫＰ１の後、ソフトキーＳＫ１（「確定」ＳＬ１）、若しくはソフトキーＳＫ１（「確定」ＳＬ１）のみが押下される。また、この場合、ソフトキーＳＫ１（「確定」ＳＬ１）に代えて、決定ボタンＲＢが押下されても良い。
【００９８】
ソフトキーＳＫ１が押下されると、同図（ｃ）に示すとおり、メインメニュー選択画面に戻り、上部ディスプレイＵＤには、小計金額を表示する。ここで、例えば「＃．ドリンク」ＫＰが押下されると、同図（ｄ）に示すとおり、サブメニュー選択画面（第３階層画面）に遷移し、ここでは９個のメニューの中から選択できるようになっている（図１２（ｂ）参照）。
【００９９】
サブメニュー選択画面において、例えば「８．緑茶」ＫＰが押下されると、図８（ａ）に示すとおり、先程と同様、数量入力画面に遷移する。ここで、例えば「２．２」ＫＰの後、ソフトキーＳＫ１（「確定」ＳＬ１）が押下されると、同図（ｂ）に示すとおり、再度メインメニュー選択画面に戻り、上部ディスプレイＵＤには、小計金額を表示する。
【０１００】
メインメニュー選択画面において、ソフトキーＳＫ１（「合計」ＳＬ１）が押下されると、同図（ｃ）に示すとおり、預り金入力画面に遷移し、上部ディスプレイＵＤには、消費税込みの合計金額を表示する（この場合は、外税に設定されている）。ここで、預り金￥１，０００が押下されると、同図（ｄ）に示すとおり、上部ディスプレイＵＤに預り金を表示する。さらに、その後続けてソフトキーＳＫ１（「確定」ＳＬ１）が押下されると、赤外線通信画面に遷移する（図９（ａ）参照）。なお、合計金額通りの支払であった場合は、同図（ｃ）において、そのままソフトキーＳＫ１（「確定」ＳＬ１）が押下される。
【０１０１】
ソフトキーＳＫ１が押下されると、図９（ａ）に示すとおり、赤外線通信画面に遷移する。赤外線通信画面では、「（赤外線）通信しますか？」と表示し、顧客４１が赤外線ポート４７付の携帯電話顧客端末４０を有する場合は「Ｙｅｓ」、そうでない場合は「Ｎｏ」が押下される。なお、ここで、赤外線通信可能なプリンタ２４が備えられている場合には、そのプリンタ２４と通信を行い、取引データ（出力情報）を印刷するようにしても良い。
【０１０２】
ここで、赤外線通信が失敗した場合は、同図（ｂ）の通信結果・釣り銭表示画面２５に示すとおり、メインメニュー選択画面の上部ディスプレイＵＤにおいて、絵文字（雷，落ち込み顔）およびアルファベットＥ（エラー）を表示する。一方、赤外線通信が成功した場合は、同図（ｃ）の通信結果・釣り銭表示画面に示すとおり、メインメニュー選択画面の上部ディスプレイＵＤにおいて、絵文字（雷，笑顔）を表示する。このように、通信状態を絵文字によって表示することにより、表示画面２５が小さくとも、ユーザに通信結果を分かりやすく報知することができる。また、表示する絵文字を「通信（雷）」、「成功（笑顔）」といったように、主語と述語との関係で示すことにより、更に理解しやすい表示とすることができる。
【０１０３】
赤外線通信が完了すると、同図（ｂ）、（ｃ）に示すとおり、上部ディスプレイＵＤにお釣りを表示し、この状態で次の売上登録の入力待ちとなる。なお、赤外線通信に失敗した場合は、接続されたプリンタ２４（インターフェースは、コネクタ接続、または赤外線ポート２７のいずれであっても良い）で、強制的に取引データを印刷するようにしても良い。また、再通信を数回繰り返すようにしても良い。なお、上記の例では、商品情報を入力する（商品メニューの中から選択する）ものとしたが、数字ボタンＮＢを用いて金額（入金情報）を直接入力しても良い。
【０１０４】
次に、システムサーバ３０への出力情報（売上登録情報）の送信処理について説明する。図１０（ａ）に示すとおり、システムメニュー選択画面において、「２．売上通信」ＫＰが押下されると、同図（ｂ）または（ｃ）に示すような通信結果表示画面に遷移する。同図（ｂ）は、無線通信が失敗した場合を示し、同図（ｃ）は、無線通信が成功した場合を示している。これらは、上記の赤外線通信結果（図９（ｂ）および（ｃ））と同様に、絵文字を用いて分かりやすい表示となっている。送信される情報は、前回の送信処理後に入力・処理された情報であり、送信後、不揮発性メモリ内の情報は消去される。
【０１０５】
なお、このように、売上登録処理とは別に売上送信処理を行わなくとも、売上登録後、すなわち携帯電話顧客端末４０に対して赤外線通信を行う際に、売上送信処理を行う構成としても良い。この構成によれば、売上送信処理のための操作を別に行う手間を省くことができると共に、システムサーバ３０に対し、リアルタイムで情報を送信することができる。また、店舗サーバ５０においても、迅速に売上情報を確認することができる。
【０１０６】
次に、過去の出力情報（売上登録情報）をまとめてプリンタ２４により印刷する売上印刷処理について説明する。この処理では、赤外線通信可能なプリンタ２４が用意されることが前提である。図１１（ａ）に示すとおり、システムメニュー選択画面において、「３．売上印刷」ＫＰが押下されると、同図（ｂ）に示すような赤外線通信画面に遷移した後、同図（ｃ）または（ｄ）に示すような通信結果表示画面に遷移する。これらは、上記の赤外線通信結果（図９（ｂ）および（ｃ））並びに無線通信結果（図１０（ｂ）および（ｃ））の場合と同様に、絵文字を用いた表示となっている。印刷される情報は、その日に入力・処理された情報であり、印刷物は店舗２１（携帯電話ＰＯＳ端末２０の使用者）において、売上一覧表として使用可能である。
【０１０７】
なお、この売上印刷処理において、その日の情報だけでなく、オペレータにより指定された期間の情報をまとめて印刷するようにしても良い。また、出力する情報も、オペレータによって入力された入力情報、会計結果（売上金額）、担当者情報および顧客情報（これらは、担当者情報および顧客情報が入力された場合に限る。詳細については後述する）の中から、ユーザの指定した情報のみを印刷するようにしても良い。これらの構成によれば、ユーザのニーズに応じて、出力情報を印刷することができ、帳簿管理等に役立てることができる。
【０１０８】
なお、ここで、印刷する情報は、携帯電話ＰＯＳ端末２０内のメモリに記憶された情報だけでなく、システムサーバ３０のデータベース３５から取得した情報を出力することも可能である。さらに、出力情報だけでなく、商品の在庫に関する在庫情報も、同様の処理にて印刷可能である（但し、この場合は「在庫情報印刷」ＫＰが別に設けられることとなる）。
【０１０９】
以上、図７〜図１１を参照して、携帯電話ＰＯＳ端末２０の操作方法について説明したが、これらに示すとおり、一般に利用されている携帯電話を使用し、表示にしたがって必要事項を入力していくだけで、容易にＰＯＳ端末としての機能を実現することができる。このため、初めて利用するユーザでも、取扱い説明書などを参照することなく、しかも迅速に会計処理を行うことができる。
【０１１０】
また、設置場所をとらず持ち運びが便利であり、且つ電源や電話回線が必要でないため、店頭販売、移動販売、出張販売、訪問販売、宅配サービス等における簡易ＰＯＳ端末としても有効である。さらに、据え置き型のＰＯＳ端末と連動して、本発明の携帯電話ＰＯＳ端末２０を利用する場合は、レジ混雑時などにサブ機として利用することが可能であり、顧客４１の待ち時間を減らすことができる。
【０１１１】
ここで、他の実施例について簡単に説明する。上記では、「８．弁当店マスタ」を利用した場合の売上登録処理について説明したが（図７〜図９）、ここでは「７．美容室マスタ」を利用した場合の売上登録処理について説明する。「７．美容室マスタ」では、商品マスタや金額テーブルの他に、担当者マスタや顧客マスタが用いられる。そこで、図１３に示す各マスタを参照して、説明する。
【０１１２】
まず、システムメニューにおいて、「７．美容室Ｍ」ＫＰが押下されると、担当者選択画面に遷移する。このとき、キーパッドＫＰとして、同図（ｂ）の「表示」欄に示すように、担当者名から成る選択肢を表示しており、これらの中から１のキーパッドＫＰが選択される。なお、この場合の「担当者」は、カット等を実際に行った美容担当者、または会計を担当した会計担当者のいずれであっても良い。
【０１１３】
続いて、担当者選択画面において、ソフトキーＳＫ１（「確定」ＳＬ）が押下されると、顧客選択画面に遷移する。顧客選択画面では、同図（ｃ）「表示」欄に示すように、顧客層を特定する選択肢を表示しており、これらの中から１のキーパッドＫＰが選択されて、ソフトキーＳＫ１（「確定」ＳＬ）が押下されると、商品選択画面に遷移する。商品選択画面における操作以降は、上記の「８．弁当店マスタ」を利用した場合と同様であるため説明を省略する。
【０１１４】
このように、担当者や顧客４１に関する情報を入力していくことで、担当者別の売上や顧客層を確認でき、売上分析に役立てることができる。また、個々の店舗２１で、独自のマスタを作成可能であるため、業種や利用形態に応じて使い勝手の良いＰＯＳ端末を実現することができる。
【０１１５】
なお、顧客マスタとしては、年齢、性別および職業によって分類したマスタを用いても良いし、更に階層を増やして（例えば、氏名の頭文字で複数のマスタに分類して）、個々の顧客４１を特定できるようなマスタを用いても良い。
【０１１６】
以上の通り、本発明のＰＯＳシステムおよびその会計処理方法によれば、一般に利用されている携帯電話にＰＯＳアプリケーションプログラムをダウンロードするだけで、通常の据え置きタイプのＰＯＳ端末で実行可能な支払決済処理（入金情報に基づき会計処理を行い、更にこれを記憶・出力する処理）を行うことができるため、高価なＰＯＳ端末を導入する必要がなく、低コストでＰＯＳシステム１０を構築することができる。また、携帯電話の操作キーを用いて入金情報を入力することにより、操作が容易であり、且つ手軽に利用することができる。
【０１１７】
また、携帯電話ＰＯＳ端末２０からの出力情報は、システムサーバ３０に対して無線通信により送信することができるため、システムサーバ３０およびこれとネットワーク６０を介して接続された店舗サーバ５０では、リアルタイムで出力情報を取得し、迅速に会計結果等を把握することができる。
【０１１８】
また、このように、店舗サーバ５０と、これに統括制御される（複数の）携帯電話ＰＯＳ端末２０とから成る店舗２１とから成り、システムサーバ３０を介して店舗サーバ５０が情報を取得するといった形態としたことで、複数の直営店やフランチャイズ店を有する店舗２１（企業）において、特に有効に利用可能である。すなわち、この構成によれば、直営店やフランチャイズ店を統括する本部（店舗サーバ５０）において、全店における最新売上情報をリアルタイムで取得することができ、ひいては、迅速に売上分析を行うことができるためである。
【０１１９】
また、携帯電話ＰＯＳ端末２０は、商品の在庫数に関する在庫情報を入力し、これを出力する在庫処理を行うことができるため、高価なハンディターミナルを導入することなく、在庫管理を行うことができる。さらに、在庫情報についても、無線通信によりシステムサーバ３０に送信することができるため、システムサーバ３０および店舗サーバ５０では、リアルタイムで在庫情報を確認することができる。
【０１２０】
また、店舗サーバ５０によってＰＯＳアプリケーションプログラムの更新を行うことにより、統括制御対象となる携帯電話ＰＯＳ端末２０の台数に関わらず、一括してプリケーションを更新することができる。
【０１２１】
また、システムサーバ３０では、出力情報および在庫情報に基づいて、財務会計データや売上分析データを作成するため、特に小規模の店舗にとっては、売上帳簿を作成したり、会計事務所に会計処理を依頼したりといった手間やコストを削減することができる。
【０１２２】
なお、管理会社３１では、財務会計データや売上分析データをシステムサーバ３０内で自動作成する他に、顧客店舗２１の希望に応じて、経営コンサルタントによるコンサルティング業務を同時に行うようにしても良い。コンサルティング業務としては、売上分析データを基に作成した文書によるアドバイスでも良いし、電話等による面談であっても良い。この構成によれば、管理会社３１にとっては、加盟する顧客店舗２１に対し、本システム利用の付加価値を高めたサービスを提供することができると共に、顧客店舗２１にとっては、低コストでコンサルティングを受けることができるといった利点を有する。
【０１２３】
また、上記の例では、システムサーバ３０が、ネットワーク６０を介して、顧客店舗２１からＰＯＳアプリケーションプログラムの開発依頼を受け付け、当該開発依頼に対し、ＰＯＳアプリケーションプログラムの作成ユーティリティを提供するものとしたが、店舗２１側からのプログラム開発依頼により、管理会社３１のシステムプロバイダが特定店舗向けに開発・チューニングを行ったものを提供するようにしてもよい。この構成によれば、各店舗２１の業務形態に合わせて利用しやすいプログラムの開発を行うことができると共に、顧客店舗２１にＰＯＳアプリケーションプログラムの作成のための手間をとらせることがない。
【０１２４】
また、上記の例では、システムサーバ３０は、携帯電話ＰＯＳ端末２０から送信された出力情報および在庫情報に基づいて、財務会計データおよび売上分析データを作成するものとしたが、顧客（一般ユーザ）４１の購買履歴に関するデータを作成し、当該データを月毎に携帯電話顧客端末４０に対して送信したり、若しくは郵送したりといったサービスを行うようにしても良い。この構成によれば、顧客４１は、レシートや決済データを保管しておかなくとも、自分の購買履歴を確認することができる。
【０１２５】
また、上記の例では、ＰＯＳアプリケーションプログラムの更新は、主に店舗サーバ５０によって行うものとしたが、１つの店舗サーバ５０に対して１台の携帯電話ＰＯＳ端末２０が統括制御されている場合や、店舗サーバ５０を有しない構成（すなわち、店舗２１において、携帯電話顧客端末４０によってのみ会計処理を実行する構成）では、携帯電話ＰＯＳ端末２０側でＰＯＳアプリケーションプログラムの更新を行うことができる構成としても良い。また、この場合、その更新情報を確実にシステムサーバ３０に送信するよう構成されることが好ましい。この構成によれば、小型店舗や生鮮食品を扱う店舗など、商品の金額が度々変更となるような場合でも、携帯電話ＰＯＳ端末２０から金額テーブル等の変更を行うことができるため、臨機応変に対応することができる。
【０１２６】
また、上記の例では、管理会社３１によってシステムサーバ３０が管理されるものとしたが、このシステムサーバ３０をレンタルサーバとして、店舗２１に提供する構成としても良い。この構成は、店舗２１が、財務会計情報を他社（管理会社３１）に知られたくない場合などに利用可能である。
【０１２７】
また、上述したＰＯＳシステムの例によらず、例えばシステム構成や携帯電話ＰＯＳ端末の装置構成等について、本発明の要旨を逸脱しない範囲で、適宜変更も可能である。
【０１２８】
【発明の効果】
上述のように、本発明のＰＯＳシステムおよびその会計処理方法によれば、手軽にＰＯＳシステムを構築することができるなどの効果がある。
【図面の簡単な説明】
【図１】本発明の一実施形態に係るＰＯＳシステム１０の一例を示す構成図である。
【図２】本発明の一実施形態に係る携帯電話ＰＯＳ端末の機能ブロック図である。
【図３】本発明の一実施形態に係るシステムサーバの機能ブロック図である。
【図４】本発明の一実施形態に係る携帯電話顧客端末の機能ブロック図である。
【図５】本発明の一実施形態に係る店舗サーバの機能ブロック図である。
【図６】携帯電話ＰＯＳ端末のキー構成および画面構成を示す説明図である。
【図７】携帯電話ＰＯＳ端末における操作の一例を示す説明図である。
【図８】図７に続く携帯電話ＰＯＳ端末における操作の一例を示す説明図である。
【図９】図８に続く携帯電話ＰＯＳ端末における操作の一例を示す説明図である。
【図１０】携帯電話ＰＯＳ端末における他の操作の一例を示す説明図である。
【図１１】携帯電話ＰＯＳ端末における他の操作の一例を示す説明図である。
【図１２】ＰＯＳアプリケーションプログラムに含まれる、商品マスタ・金額テーブルの一例を示す説明図である。
【図１３】ＰＯＳアプリケーションプログラムに含まれる、商品マスタ・金額テーブル、担当者マスタ、顧客マスタの一例を示す説明図である。
【図１４】システムサーバにおいて作成される、財務会計データの一例を示す説明図である。
【図１５】システムサーバにおいて作成される、売上分析データの一例を示す説明図である。
【符号の説明】
１０        ＰＯＳシステム
２０        携帯電話ＰＯＳ端末
２１        店舗
２５        表示画面
２７        赤外線ポート
３０        システムサーバ
３１        管理会社
３５        データベース
４０        携帯電話顧客端末
４１        顧客
４７        赤外線ポート
５０        店舗サーバ
２１０        ＰＯＳアプリケーション取得部
２２０        データベース情報取得部
２３０        入力部
２４０        情報処理部
２５０        赤外線処理部
２６０        記憶部
２７０        在庫処理部
２８０        表示部
２９０        出力部
３１０        情報取得部（システムサーバ）
３２０        データベース記憶部
３３０        データ作成部
３４０        ＰＯＳアプリケーション作成部
３５０        顧客サービス処理部
３６０        出力部
４１０        情報取得部（携帯電話顧客端末）
４２０        記憶部
４３０        赤外線処理部
４４０        表示部
４５０        出力部
５１０        情報取得部（店舗サーバ）
５２０        ＰＯＳアプリケーション更新情報作成部
５３０        メール情報作成部
５４０        表示部
５５０        出力部
ＤＢ        方向ボタン
ＫＰ        キーパッド
ＵＤ        上部ディスプレイ
ＮＢ        数字ボタン
ＲＢ        決定ボタン
ＳＫ        ソフトキー
ＳＬ        ソフトラベル
【図１】
2004164195.tif 000003
【図２】
2004164195.tif 000004
【図３】
2004164195.tif 000005
【図４】
2004164195.tif 000006
【図５】
2004164195.tif 000007
【図６】
2004164195.tif 000008
【図７】
2004164195.tif 000009
【図８】
2004164195.tif 000010
【図９】
2004164195.tif 000011
【図１０】
2004164195.tif 000012
【図１１】
2004164195.tif 000013
【図１２】
2004164195.tif 000014
【図１３】
2004164195.tif 000015
【図１４】
2004164195.tif 000016
【図１５】
2004164195.tif 000017